(57)【要約】      （修正有）【課題】あたかも透明板の上部から照明されたのとほぼ同じ状態の図画像として、周辺より明るく鮮明に見ることができ、よく目立つ図画像を表示できる照明付きフォトアクリル装置を提供する。【解決手段】導光板材料は透明なアクリル等樹脂またはガラスとし、これに照明対象の写真や図画２とよく密着するよう接着または粘着させて層状の一体構造としいわゆるフォトアクリルを形成したものに、該導光板１側面から照明用光源４からの放射光を入射して対象をよく照明する構造を形成し、明るく鮮明な図画像を得る。【選択図】図１
0003174843.tif 000002
【実用新案登録請求の範囲】
【請求項１】
平坦な表面を有する透明なアクリル、ポリカーボネート等樹脂あるいは透明なガラス板よりなる導光板の背面と所定の図画の表面をほぼ透明な糊料、化学接着剤や粘着剤、粘着性ゲル状樹脂を用いてあるいは熱圧接により両者が層状に一体的になるよう密接貼着し、かつ前記導光板の側面に設けた光源からの照射光を入射するようにしてその前面から前記図画が照明されて見える構造を有する照明付きフォトアクリル装置。
【請求項２】
上記の請求項１における照明付きフォトアクリル装置における照明用光源の導光板側面の対抗側に反射板を設けて前記光源からの入射光を反射し、より照明効果を向上させるようにした照明付きフォトアクリル装置。
【請求項３】
上記の請求項１における照明付きフォトアクリル装置における照明用光源の導光板に貼り付けた図画等の背面に設ける背面板の表面を反射面とし側面の対抗側に反射板を設け背面への光の漏れを防止し、かつより照明効果を向上させるようにした照明付きフォトアクリル装置。
【請求項４】
上記の請求項１における照明付きフォトアクリル装置における照明用光源の導光板側面の入射光側に光拡散板を設けて前記光源からの入射光を拡散し、より均等な照度の照明効果を向上させるようにした照明付きフォトアクリル装置。
【考案の詳細な説明】
【技術分野】
【０００１】本考案は、一般的な図画、写真、文書等（以下図画等）の照明表示をその表面から一体的に行う透明な導光板に関するものである。これらの周辺外縁部に設けた照明光源から該透明導光板側面に入った入射光は、その内部で反射屈折して放散され、その直下に設けられた前記図画等をほぼ均等に照明する。この結果前記画像等表面から反射して放射された光は該透明導光板を表面方向に通過し、あたかも該透明板の上部から照明されたのとほぼ同じ状態の図画像として、周辺より明るく鮮明に見ることができ、よく目立つ図画像表示（ディスプレー）分野を創出できる。これにより展示、情報、流通等の産業分野や雑貨等一般民生商品分野に応用ができる。
【背景技術】
【０００２】従来、反射型液晶用に前記のように透明導光板を用いてその側面に設けた光源の光で該液晶表面を照明するものは通称フロントライト型導光板として存在した。しかしこれらはいずれも該液晶用にのみ用いられ、一般的な写真や図画等を自在に選択しての用に供することはできなかった。これはこれらが反射型液晶の特性に合わせた複雑な構造や特有の構成を有し、被照明体が一般的な写真や図画等を対象としなかったためである。その主な理由は、写真や図画等の材質が紙や布でその表面が充分平滑でなく平面性にも乏しく換言すれば凹凸やざらざらやゆがみもあり、画面も反射型液晶より比較的大きく、また場合によっては反射等の表面皮膜処理があるので均一に照明でないためであった。この結果フロントライト型導光板を用いて一般的な写真や図画等を照明する写真立てや額縁は無かった。これを解決する手段として近時、額縁の周辺内面に照明用光源を内蔵しこれにより額縁の基底面に装着された図画等を効果的に照明できる額縁もしくはフレーム状装置が考案され普及しつつある。
【考案の開示】
【考案が解決しようとする課題】
【０００３】前項に述べた額縁もしくはフレーム状装置はフロントライト装置として有用であるが、額縁構造に付随する厚み（奥行き）がある程度必要なため装置を通常１０ミリメートルより薄くすることは困難であった。また、従来のフロントライト用導光板は平坦な表面では困難で、本考案はこれを簡易かつ安価に解決し薄いフロンとライト装置を実現しようとする導光板に関するものである。
【課題を解決するための手段】
【０００４】透明な１０ミリメートル以下の薄い厚さの平坦なアクリル等を、押さえ板兼フロントライト型導光板（以下導光板）とし、これに直接照明の対象となる写真等の表面を貼り付け、その側面に別途設けられる光源からの出射した光をここより入射光として取り入れ、これを対象の図画等の方向に屈折あるいは反射させその表面を照明し、導光板上面の正面からはよく照明された図画像等が得られるように装置を構成する。ここに該導光板と該照明対象の図画等との貼り付けにはほぼ透明な接着剤や粘着剤等を用い、場合により熱圧接し該導光板と該照明対象のあいだに空気膜等が残留しないように一体の層状になるよう密着させる。なお、本考案での例のようにアクリル板に写真等図画を一体的に密着して貼り付けたものは一般的にフォトアクリルと称されている。
【考案の効果】
【０００５】前項の構成および構造を有するフォトアクリル装置により、一般的な写真や図画等被照明体をその前面から明るく鮮明に照明できる薄型の全く新規の画像表示方法が実現できる。ここに本考案の装置において導光板は通常の平坦なアクリル等の透明な板でよく、従来の液晶用フロントライト用導光板等に必要であった楔型断面形状や、表面上の凹凸、特殊な反射剤の塗布等の加工を施す必要がなく大幅な簡略化が可能となる。また、本装置の光源の配設や照明方法も多様に展開できるようになるため小面積のみならず比較的大面積の表示に用いることが可能となり、応用例として広告板、案内板等にも応用可能となる。また、周囲が暗い所あるいは明るい所に応じて光源の入り切りはもとより、その強度や色調を調整し用いることで、より鮮明に目立たせる効果も期待でき、インテリアとして視認できることはもちろん、夜間の照明装置としても用い得る。
【実施例】
【０００６】以下、本考案を図１および図２の応用実施例について説明する。図１は本考案による照明付きフォトアクリル装置（以下本装置）の代表例としての側断面構造の概略図であり、図２は本装置の斜視概略図である。ここに図１は図２におけるＡ−Ａ断面である。本装置の構造は主に透明な導光板（１）、表示対象の図画（２）、貼付部（３）、照明用の光源（４）、反射鏡（５）、反射板（６）および背面板（７）、表面板（８）および外枠（１０）を全体の構造として形成される。ここに、導光板（１）は主に透明な硬質樹脂であるアクリルを主に用いるが、他に透明なポリカーボネートやポリスチレン等樹脂や、透明なガラスを用いてもよい。ここに前記導光板（１）は通常厚さ１０ミリメートル以下の比較的薄い材料を用い、その背面と前記図画（２）の表面を前記貼付部（３）に略透明な糊料、化学的接着剤や粘着剤を用いて両者を互いに密着して貼り付ける。この貼付けは図画（２）表面のインクや仕上げ剤に応じて熱圧接してもよい。いずれの場合も前記導光板（１）はその背面と前記図画（２）の表面の間に空気が混入したりシワや歪みを起こしたりしないように前記貼付部（３）とともにローラーやバレン等を用いて層状で一体的に形成する。なお、前記貼付部（３）の材料や方法は前記の形成後光の透過を妨げないようなものを選定する。【０００７】本装置では前記導光板（１）の側面に光源（４）からの放射光は図１のような略放物面断面形状を有する反射鏡（５）やレンズ（図示せず）で光路を調整され図のように導光板側面から入射する。この光は導光板内部で屈折、反射し図画（３）を照明する。前記側面と相対する側面には反射板（６）を設け前述の照明の効果を向上させる。もちろんここに同様な光源（４）や反射鏡（５）等を設けてより照明力を高めることもできる（図示せず）。なお、前記光源（４）には蛍光灯、冷陰極管（ＣＣＦＬ）や発光ダイオード（ＬＥＤ）等を用いるが、特にＬＥＤの場合は前記導光板（１）の側面にこのＬＥＤを直接埋設（図示せず）してもよい。また、前記光源（４）の光を拡散して入射させ図画（２）の照度をより均等にさせるため同光源（４）と前記導光板（１）の側面の間に光の拡散板（９）を設けてもよい。【０００８】本装置では前記図画（２）の背面に背面板（７）を設けて本装置全体の強度を上げるとともに背面への光の漏れを防ぎ、場合によってはその表面を反射面としてさらに照明効果に寄与させることもできる。また、導光板（１）の表面には必要に応じて傷付きや外光の反射を防止するために表面板を設けることもできる。以上述べた本装置は図２に示す斜視図のように全体としてその周囲に外枠（１０）を設け、光源（４）やその電気系（図示せず）も内包し、かつ装置全体の固定具（図示せず）も有するようにして矩形形状で実用に供することが通常である。
【図面の簡単な説明】
【０００９】
【図１】本考案にかかわる装置の側断面構造の概略図を示す。
【図２】本考案にかかわる装置の概略斜視図を示す。
【符号の説明】
【００１０】（１）      導光板
（２）      図画
（３）      張付部
（４）      光源
（５）      反射鏡
（６）      反射板
（７）      背面板
（８）      表面板
（９）      拡散板
（１０）    外枠
【図１】
0003174843.tif 000003
【図２】
0003174843.tif 000004